(57)【要約】      （修正有）【課題】顔に装着する複数層で構成されたマスクにおいて、メガネの曇りを防止すると共に呼吸をも容易にするマスクを提供する。【解決手段】マスク１は、飛沫を通さない不織布から成る表シートと裏シートの複数層で構成され、顔とマスク間の隙間を塞ぐ鼻当て４と、口と鼻孔に密着しないようにする空間を形成するマスク支持体６とを備える。【選択図】図１
0003231728.tif 000002
【実用新案登録請求の範囲】
【請求項１】
表シートと裏シートの複数層のシートをからなるマスクにおいて、
表シートと裏シート間に塑性で可撓な薄いアルミ板等の鼻当てを縫製により配設し、この鼻当てを鼻の両側に密着させるように曲げたマスク。
【請求項２】
表シートと裏シートの複数層のシートをからなるマスクにおいて、
表シートと裏シートの間に、金属製で線条のマスク支持体を縫製によって配設し、マスクを装着したとき口と鼻孔を塞ぐことがない空間を形成するようにしたマスク。
【請求項３】
前記実用新案登録請求の範囲第１項及び第２項記載のマスクにおいて、
前記第１項記載の鼻当てと第２項記載のマスク支持体との両者を兼ね備えたマスク。
【考案の詳細な説明】
【技術分野】
【０００１】  本考案は、マスクに関し、特に表シートと裏シートの複数層のシートからなるマスクに関し、メガネが曇らないことと、呼吸するときに口や鼻に吸着せず、呼吸が苦しくないマスクに関する。
【背景技術】
【０００２】  従来、マスクを装着したときメガネが曇ってしまうことは度々経験する。
本を読むとき、文字を書くとき、特に車を運転するときには非常に困るものである。
前者の曇りは、装着したときマスクと鼻との間に隙間ができて、この隙間から湿気を含んだ呼気が上方に通過することに起因する。
上記問題を解決するために防曇機能を備えたマスクが下記特許文献で提案されている。【０００３】  又、強い運動やランニングをするときは汗をかくと同時に、呼吸が荒くなり、マスクが口や鼻口に付着して呼吸し難いことは誰もが経験する。
本考案は、防曇機能を有し、いかなる状態下でも容易に呼吸することができるマスクを提案するものである。【０００４】  前記でメガネの曇り防止のマスクについては、下記特許文献の特開２０１９−１７３２０６号公報で提案されている。
【先行技術文献】
【特許文献】
【０００５】
【特許文献１】特開２０１９−１７３２０６号公報
【考案の概要】
【考案が解決しようとする課題】
【０００６】  すなわち具体的に説明すると、前記公報に記載されたマスクは、公報の図７、図１０、同じく図１６に示されているように、マスクの裏シート（１）に接着部（２）を設け、この接着部で裏シートを鼻に接着するようにしたものである。
しかし、この公報に記載されたマスクは、裏シートに接着部を貼設し、接着部を直接鼻に接着するように構成しているので、装着部によって肌がかぶれたり、痒くなったりする新たな問題を生じている。
又、この公報記載のマスクは、水に濡れたり洗濯した場合は、接着部が剥離れたりする虞を有する。従って、洗濯には不向といえる。
本考案は、接着部が肌に直接接することによって生じる前記問題が生じないマスクを提案するものである。【０００７】  又、本考案が、呼吸するときマスクが口や鼻孔に吸着して息苦しくなるのを回避するものであるのに対して、前記特許文献には、それが記載されていないし示唆もない。【０００８】  上記に着目し、本考案は、第１にメガネが曇らないマスク、第２に口や鼻孔に吸着せず呼吸を容易にしたマスクを提供することを目的としてなされたものである。
又、これに加えて、話をするときに、頤を上下に動かしても、マスクが下にずれることがないマスクを提供することである。
【課題を解決するための手段】
【０００９】  前記第１の目的は、マスクの表シートと裏シートの複数層のシートをからなるマスクにおいて、表シートと裏シート間に折り曲げ可能な薄いアルミ板等の鼻当てを配置し、この鼻当てを屈曲して鼻の両側に密着させるように構成したこと、更に、前記鼻当ての周囲を縫製し、鼻当てを保持するように構成したしたことによって達成できる。【００１０】  前記第２の目的は、マスクの表シートと裏シートの複数層のシートをからなるマスクにおいて、表シートと裏シート間に、マスクを装着したとき口と鼻孔に密着しないように空間を形成する線条の金属製マスク支持体を設けたこと、更に前記マスク支持体周囲を縫製し、このマスク支持体を保持するように構成したことによって達成できる。
【考案の効果】
【００１１】  前記のように構成すれば、メガネが曇らないマスク、口や鼻孔に吸着されることがなく呼吸が容易なマスクを提供することができるものである。
【図面の簡単な説明】
【００１２】
【図１】図１乃至図５は、本発明の一実施例構成を示すもので、図１はマスクの正面図。
【図２】図２は同じくマスクを装着したときの上面図。
【図３】図３は同じく側面図。
【図４】本一実施例マスクを顔に装着した状態の正面図。
【図５】同じく側面図。
【考案を実施するための形態】
【００１３】  以下、本発明の一実施例を図１乃至図５に基づいて説明する。
図１乃至図３は、マスク単体を示し、図において１はマスクで、飛沫を通さない不織布から成る表シート１Ａと裏シート１Ｂの複数層で構成される。
マスク１は、本実施例では、２枚のシートで構成しているが、３枚、４枚と複数枚のシートでもいいし、その数は任意である。２は、マスク１の両端に取り付けられ、耳に引っ掛けるゴム紐である。３は、マスク１の折り目を示す。
【００１４】  前記マスクの生地としては、木綿のガーゼ、シルク、この外にレース、ニットの生地、涼感を得るためのちぢみなど多数の生地が存在している。これらの生地は一般に柔らかいので、呼吸するときマスクが口や鼻孔に密着して呼吸を妨げることがある。
そのため、呼吸しても、特に、激しく呼吸する運動やジョギングをしても、マスクが口や鼻孔を塞ぐことがないやや硬い不織布が好適である。
尚、不織布は、目が細かいのでウイルスの捕集に適している。
【００１５】  ４は、アルミニウム、又はアルミ合金等の塑性変形する屈曲性に富む薄い金属から成る鼻当てで、表シートＡ、裏シートＢ間に配置され、その周囲をミシンで縫製し、鼻当て４が前記シート１Ａ、１Ｂ間で移動しないように保持する。
【００１６】
0003231728.tif 000003
は２ｃｍが好適であったが任意である。
５は、前記表シート１Ａ、裏シート１Ｂを一緒に縫製した縫い目で、これにより鼻当て４の移動を阻止する。
【００１７】  そして、マスク１を装着したとき、マスク１が、鼻とマスク１との間に形成されている隙間をなくするように、鼻当て４を鼻の両側に沿わせて曲げるようにする。
鼻当て４は、鼻の両側に沿って人為的に曲げたとき、塑性変形するので鼻当て４は鼻の両側の接触した状態を維持する。
従って、マスクを装着したときメガネの曇りは防止される。
【００１８】  ６は、口の上方と鼻の周囲に空間を形成するマスク支持体で、口を上下に跨る錆びないピアノ線やあるいは防錆処理された針金で形成され、その周囲を前記表シート１Ａ、裏シート１Ｂを重ねて縫製し、マスク支持体６が移動しないように保持されている。又、容易に撓まない樹脂製の線条体でも代用できる。７は、縫い目である。
【００１９】  又、前記マスク支持体６は、口と鼻に跨って上下に配設されており、装着したとき、マスク１が口と鼻孔を塞ぐことがないようになされている。すなわち、マスク支持体６の上方と両側には、マスクを装着したときマスクと顔との間に空間が形成される。
尚、このマスク支持体６は、多少の外力が加わっても容易には撓むことがない強さとし、又、マスク支持体６の下端はマスク１の下縁に接する長さに成形されている。
【００２０】  図４及び図５は、前述したマスクを装着した状態を示し、図４は正面図、図５は側面図である。
図４、図５に示すように、鼻当て４は鼻の上に載置されている。顔に装着するときは、鼻当て４を鼻の両側に沿わせるように曲げ、呼吸したときに、呼気がマスクの上から漏れて、メガネが曇るのを防止する。
【００２１】  マスク支持体６は図示のように鼻と口に跨って上下に差し渡すように設けられている。具体的には、マスク支持体６を包囲する縫い目６の上端を前記鼻当て４の縫い目５に連接あるいは近接させている。
【００２２】  一方、マスクは、顎を包囲しない鼻と口までを覆う大きさとし、マスク支持体６の下端は、マスクの下縁までの長さとしている。
従って話をするたびにマスクが下にずれるのを防止し、マスクの位置を頻繁に修正する手間を省くことができる。
【００２３】  図５は、本考案のマスク１を顔に装着したときの側面を示している。
マスク１をゴム紐２で耳に引っ掛けて装着すると、鼻から唇の周りに空間Ｓが形成される。この空間Ｓは、マスクを装着することによりテントの如く必然的に形成される。尚、空間Ｓが小さく、あるいは形成が不充分なときは、紐４の長さを短くしてマスク１の張り具合を調整し、充分な空間Ｓを確保すればよい。
このように、本考案の一実施例のマスクによれば、口と鼻周りに充分な空間が形成され、口と鼻孔が塞がれることがなく、呼吸が非常に容易になる。
尚、図５において、↓は、従来のマスクの口と鼻部分を示しており、呼吸したときにマスクが鼻孔と口を塞いだ状態を示している。
【００２４】  以上述べたように本考案によれば、第１に、マスクの表シートと裏シートの複数層のシートをからなるマスクにおいて、表シートと裏シート間に鼻に密着する折り曲げ可能な薄いアルミ板等の鼻当てを配置し、この鼻当てを曲げて鼻の両側に密着させるするように構成したので、呼吸をしてもメガネが曇らないマスクを提供することができた。
第２に、表シートと裏シート間に、マスクを装着したとき口と鼻孔を塞ぐことのない空間を形成するピアノ線で構成したマスク支持体を配設したので、呼吸を容易にするマスクを提供することができたものである。
加えて、顎を動かしても下にずれないマスクを提供することができるものである。
【符号の説明】  １…マスク、１Ａ…表シート、１Ｂ…裏シート、２…紐、３…折り線、４…
0003231728.tif 000004
【図１】
0003231728.tif 000005
【図２】
0003231728.tif 000006
【図３】
0003231728.tif 000007
【図４】
0003231728.tif 000008
【図５】
0003231728.tif 000009